(57)【要約】【課題】セルの局所的な測定を可能にする。【解決手段】セル部４の燃料極の測定領域の分割数に対応する凹部を有する燃料極側収容凹部１３を燃料極側筐体２に形成し、セル部４の分割された燃料極の測定領域と対をなして分割される空気極の測定領域に対応する凹部を有する空気極側収容凹部１８を空気極側筐体３に形成し、セル部４の分割された燃料極および空気極の測定領域に対面して一対の測定用電極板２１（２１Ａ，２１Ｂ）を設け、この一対の測定用電極板２１Ａ，２１Ｂに電線２２（電圧線２２ａ、電流線２２ｂ）が接続される。【選択図】図２
2020191206.tif 000002
【特許請求の範囲】
【請求項１】
燃料ガスを供給する燃料ガス導入管と、供給された燃料ガスを排出する燃料ガス排出管とを有する燃料極側筐体と、
空気ガスを供給する空気ガス導入管と、供給された空気ガスを排出する空気ガス排出管とを有する空気極側筐体と、
燃料極と空気極との間に電解質を挟んで構成されるセル部と、
前記セル部を挟むように設けられる一対以上の集電体とを備え、
前記セル部を中心として前記集電体を取り囲むように設けられる一対の第１シール部材を介在しながら前記燃料極側筐体と前記空気極側筐体とを突き合わせた状態で固定された電気化学セル評価用ホルダにおいて、
前記燃料ガス導入管と前記燃料ガス排出管に連通し、前記セル部の燃料極の測定領域の分割数に対応する凹部を有して前記燃料極側筐体に形成される燃料極側収容凹部と、
前記空気ガス導入管と前記空気ガス排出管に連通し、前記セル部の分割された燃料極の測定領域と対をなして分割される空気極の測定領域に対応する凹部を有して前記空気極側筐体に形成される空気極側収容凹部と、
前記セル部の測定領域ごとに対面して前記燃料極側収容凹部と前記空気極側収容凹部に着脱可能に収容される一対の電極板と、
前記一対の電極板と接続される電線とを備えたことを特徴とする電気化学セル評価用ホルダ。
【請求項２】
前記一対の電極板には、ガスを拡散する流路が形成されることを特徴とする請求項１に記載の電気化学セル評価用ホルダ。
【請求項３】
前記セル部の分割された燃料極と空気極の測定領域それぞれに第２シール部材が着脱可能に設けられ、前記第２シール部材は前記燃料ガスおよび前記空気ガスのガス通過孔が形成され、当該ガス通過孔の面積が異なることを特徴とする請求項１または２に記載の電気化学セル評価用ホルダ。
【請求項４】
前記第２シール部材には前記燃料ガスおよび前記空気ガスの導入側および排出側に近いほど面積の小さいガス通過孔が形成されることを特徴とする請求項３に記載の電気化学セル評価用ホルダ。
【請求項５】
請求項１〜４の何れかの電気化学セル評価用ホルダが収容される電気炉と、
前記燃料ガスおよび前記空気ガスを設定流量に制御するとともに前記電気炉を目標温度に制御する制御装置と、
前記制御装置による制御下において前記一対の電極板間に印加される電圧を所定ステップで可変して前記セル部の測定領域ごとの電流−電圧特性を測定するとともに前記一対の電極板間に印加される電圧の周波数を可変して前記セル部の測定領域ごとのインピーダンス特性を測定する測定装置とを備えたことを特徴とするセル評価システム。
【発明の詳細な説明】
【技術分野】
【０００１】
本発明は、平板型セルを用いた固体酸化物形燃料電池（Solid Oxide Fuel Cell ：ＳＯＦＣ）の性能特性を評価するための電気化学セル評価用ホルダ及びセル評価システムに関するものである。
【背景技術】
【０００２】
エネルギー変換効率の高い固体酸化物形燃料電池（以下、ＳＯＦＣとも言う）が次世代のエネルギー供給システムとして注目を集めている。ＳＯＦＣは、電解質膜にイオン伝導性固体電解質を使用し、その電解質膜の一方の面に多孔質焼結体からなる燃料極（アノード）を、他方の面に空気極（カソード）を接合して構成される。ＳＯＦＣでは、燃料極に燃料（水素）を供給し、空気極に空気（酸素）を供給し、電気化学反応によって電気エネルギーを取り出している。
【０００３】
そして、この種のＳＯＦＣの研究開発に伴い、燃料電池の性能を評価するためのＳＯＦＣの単セル評価装置としては、例えば引用文献１に示す装置、非特許文献１や非特許文献２に開示される三重管構造の高温電気化学セル評価用ホルダ等が公知となっている。
【０００４】
ところで、一般的な電気化学セル評価用ホルダは、ＳＯＦＣの作動温度（約８００℃）と同程度の雰囲気温度によるセルの評価試験を実施可能とするため、耐熱性を有し、さらにその加工性や安価な製造コスト等を実現するために装置筐体の材料としてステンレス等の金属が用いられている。
【０００５】
しかしながら、ＳＯＦＣの作動温度による評価実験では、作動温度が高温であるため、筐体を構成する金属中の成分（例えば、Ｃｒ）が蒸発して酸化した酸化物（例えば、Ｃｒ2 Ｏ3 ）がセル表面に付着して汚染され、ＳＯＦＣの評価試験に悪影響を及ぼす虞があった。
【０００６】
また、上記各文献に開示される装置を含む一般的な電気化学セル評価用ホルダは、セルを両極側からガス導入管で挟持する縦型の三重管構造を採用している。このため、縦型の三重管構造に対応する電気炉にしか使用することができず、またホルダ自体が大型であり、電気炉への設置時の取り扱いが不便であるという問題があった。
【０００７】
さらに、この種の電気化学セル評価用ホルダでは、セル部を挟んで一対のガラスＯ−リングを設置し、電気炉内の熱によって溶融させることでセル部の両極側のシールを行い、燃料ガス及び空気ガスのガス漏れを防止する気密構造を実現している。しかし、Ｏ−リングがガラス製であるため、次の評価試験を行う際に、それまで使用したガラスＯ−リングの除去や清掃作業が必要となり、その作業が面倒であった。
【０００８】
そこで、出願人は、上述した問題を解決するため、下記特許文献２に開示される電気化学セル評価用ホルダを出願している。
【０００９】
この特許文献２に開示される電気化学セル評価用ホルダでは、挟持部品である燃料ガス拡散板、燃料極用集電体、セル部、一対のセラミックス製のガスケット、空気極用集電体、空気ガス拡散板を積層し、燃料極側収容凹部と空気極側収容凹部とが対向するようにアルミナ製の燃料極側筐体及び空気極側筐体とを突き合わせた状態で挟持させる。そして、各筐体間で挟持部品を挟持した状態で、空気極側挿通孔にセラミックバネを挿入し、燃料極側挿通孔から挿入したボルトをナットで締結固定して組み立てる。
【００１０】
これにより、性能評価時におけるセルへの悪影響が無く、且つ装置の小型化による電気炉への設置容易性と組立容易性に優れた電気化学セル評価用ホルダを実現している。
【先行技術文献】
【特許文献】
【００１１】
【特許文献１】特開平６−２２３８５７号公報
【特許文献２】特開２０１３−１０５６６２号公報
【非特許文献】
【００１２】
【非特許文献１】社団法人電気化学協会編「電気化学測定法」、社団法人電気化学協会（１９７２）、１５４〜１５５頁
【非特許文献２】ＳＯＦＣ研究会編「第１２回ＳＯＦＣ研究発表会講演要旨集」、（２００３）、９４〜９５頁
【発明の概要】
【発明が解決しようとする課題】
【００１３】
ところで、近年では、ＳＯＦＣの性能の高度化に伴い、大面積セルの開発と評価を行うにあたって、直接的に発電状態の分布を見る需要がある。
【００１４】
しかしながら、上述した従来の電気化学セル評価用ホルダでは、セル全体としての平均的な発電状況を測定することは可能であるが、セルの局所的な測定（例えば電流分布や発電分布など）を行うことができなかった。
【００１５】
そこで、本発明は上記問題点に鑑みてなされたものであって、セルの局所的な測定を行うことが可能な電気化学セル評価用ホルダ及びセル評価システムを提供することを目的としている。
【課題を解決するための手段】
【００１６】
上記目的を達成するため、本発明の請求項１に記載された電気化学セル評価用ホルダは、燃料ガスを供給する燃料ガス導入管と、供給された燃料ガスを排出する燃料ガス排出管とを有する燃料極側筐体と、
空気ガスを供給する空気ガス導入管と、供給された空気ガスを排出する空気ガス排出管とを有する空気極側筐体と、
燃料極と空気極との間に電解質を挟んで構成されるセル部と、
前記セル部を挟むように設けられる一対以上の集電体とを備え、
前記セル部を中心として前記集電体を取り囲むように設けられる一対の第１シール部材を介在しながら前記燃料極側筐体と前記空気極側筐体とを突き合わせた状態で固定された電気化学セル評価用ホルダにおいて、
前記燃料ガス導入管と前記燃料ガス排出管に連通し、前記セル部の燃料極の測定領域の分割数に対応する凹部を有して前記燃料極側筐体に形成される燃料極側収容凹部と、
前記空気ガス導入管と前記空気ガス排出管に連通し、前記セル部の分割された燃料極の測定領域と対をなして分割される空気極の測定領域に対応する凹部を有して前記空気極側筐体に形成される空気極側収容凹部と、
前記セル部の測定領域ごとに対面して前記燃料極側収容凹部と前記空気極側収容凹部に着脱可能に収容される一対の電極板と、
前記一対の電極板と接続される電線とを備えたことを特徴とする。
【００１７】
請求項２に記載された電気化学セル評価用ホルダは、請求項１の電気化学セル評価用ホルダにおいて、
前記一対の電極板には、ガスを拡散する流路が形成されることを特徴とする。
【００１８】
請求項３に記載された電気化学セル評価用ホルダは、請求項１または２の電気化学セル評価用ホルダにおいて、
前記セル部の分割された燃料極と空気極の測定領域それぞれに第２シール部材が着脱可能に設けられ、前記第２シール部材は前記燃料ガスおよび前記空気ガスのガス通過孔が形成され、当該ガス通過孔の面積が異なることを特徴とする。
【００１９】
請求項４に記載された電気化学セル評価用ホルダは、請求項３の電気化学セル評価用ホルダにおいて、
前記第２シール部材には前記燃料ガスおよび前記空気ガスの導入側および排出側に近いほど面積の小さいガス通過孔が形成されることを特徴とする。
【００２０】
請求項５に記載されたセル評価システムは、請求項１〜４の何れかの電気化学セル評価用ホルダが収容される電気炉と、
前記燃料ガスおよび前記空気ガスを設定流量に制御するとともに前記電気炉を目標温度に制御する制御装置と、
前記制御装置による制御下において前記一対の電極板間に印加される電圧を所定ステップで可変して前記セル部の測定領域ごとの電流−電圧特性を測定するとともに前記一対の電極板間に印加される電圧の周波数を可変して前記セル部の測定領域ごとのインピーダンス特性を測定する測定装置とを備えたことを特徴とする。
【発明の効果】
【００２１】
本発明によれば、セル部の局所的な測定を複数箇所で行うことができ、例えばセル部の電流分布や発電分布、セル部の各電極への集電体の押し付けなどの測定が可能となる。
【図面の簡単な説明】
【００２２】
【図１】本発明に係る電気化学セル評価用ホルダの概略構成を示す分解斜視図である。
【図２】本発明に係る電気化学セル評価用ホルダの概略断面図である。
【図３】本発明に係る電気化学セル評価用ホルダにおける燃料極側筐体の平面図である。
【図４】図３の燃料極側筐体に第２シール部材を取り付けたときの平面図である。
【図５】図４の燃料極側筐体に測定用電極板を取り付けたときの平面図である。
【図６】本発明に係るセル評価システムの説明図である。
【発明を実施するための形態】
【００２３】
以下、本発明を実施するための形態について、添付した図面を参照しながら詳細に説明する。
【００２４】
本実施の形態の電気化学セル評価用ホルダ（以下、評価用ホルダと略称する）は、固体酸化物形燃料電池（ＳＯＦＣ）からなる平板型の単一セルの評価を行う際に用いられるものである。
【００２５】
図１や図２に示すように、評価用ホルダ１は、燃料極側筐体２と空気極側筐体３との間に評価対象である平板型の単一セルからなるセル部４を含む挟持部品５を挟持し、燃料極側筐体２と空気極側筐体３とを固定部材６で締結固定して組み立てる構成を基本構成としている。
【００２６】
なお、本実施の形態では燃料極側筐体２に固定部材６を配置しているが、空気極側筐体３に固定部材６を配置することも可能である。また、本実施の形態では燃料極側筐体２と空気極側筐体３が左右対称の共通部品で構成されており、図３〜図５の燃料極側筐体２と共通の空気極側筐体３の各部品の符号を括弧内に付記している。
【００２７】
燃料極側筐体２は、評価試験時の高温に耐え、且つセル部４の汚染を防止する効果を備えた例えばアルミナからなる直方体形状を有する。
【００２８】
燃料極側筐体２の一側面には、燃料ガスを供給する燃料ガス導入管１１と、供給された未反応の燃料ガスを排出する燃料ガス排出管１２とが並設される。
【００２９】
燃料極側筐体２において、組み立て時に空気極側筐体３と対面する表面には、セル部４の分割された燃料極の測定領域に対面して後述する燃料極側測定用電極板２１Ａを選択的に収容するための燃料極側収容凹部１３が形成されている。
【００３０】
なお、本実施の形態において、「分割」とは、セル部４の局所的な測定を可能とするため、セル部４の燃料極と空気極の測定したい任意の領域を対面して対をなすように複数の領域に分けることを意味するものである。
【００３１】
燃料極側収容凹部１３は、セル部４の燃料極の測定領域の分割数に対応した数の凹部からなる。例えばセル部４の燃料極と空気極の測定領域を対面して４分割する場合には、図３に示すように、燃料極側収容凹部１３がＡ，Ｂ，Ｃ，Ｄの領域からなる矩形状の４つの凹部からなる。
【００３２】
図３に示すように、燃料極側収容凹部１３の各凹部の中央には、後述する燃料極側測定用電極板２１Ａの取付導体２１ａが挿通される円形の挿通孔１４が形成される。また、燃料極側収容凹部１３の各凹部の外側寄り（図３のＡ，Ｂの領域の左側寄り、Ｃ，Ｄの領域の右側寄り）には、燃料ガスが通過する矩形状のガス通過孔１５が形成される。
【００３３】
具体的に、図３の例では、燃料極側収容凹部１３のＡ，Ｂの領域に形成されるガス通過孔１５は、燃料ガス導入管１１に連通して燃料ガスを導入するガス導入孔として機能する。また、燃料極側収容凹部１３のＣ，Ｄの領域に形成されるガス通過孔１５は、燃料ガス排出管１２に連通して燃料ガスを排出するガス排出孔として機能する。
【００３４】
なお、燃料極側筐体２は、後述する燃料極側測定用電極板２１Ａや燃料極側第２シール部材３２Ｂａが収容でき、且つセル部４の燃料極で十分に発電可能な程度の燃料ガスを充満できる燃料極側収容凹部１３が形成できる程度の厚さや大きさであればよい。
【００３５】
空気極側筐体３は、燃料極側筐体２と同様に、評価試験時の高温に耐え、且つセル部４の汚染を防止する効果を備えた例えばアルミナからなる直方体形状を有する。
【００３６】
空気極側筐体３の一側面には、空気ガスを供給する空気ガス導入管１６と、供給された未反応の空気ガスを排出する空気ガス排出管１７とが並設される。
【００３７】
空気極側筐体３において、組み立て時に燃料極側筐体２と対面する表面には、セル部４の燃料極と対をなして分割された空気極の測定領域に対面して後述する空気極側測定用電極板２１Ｂを選択的に収容するための空気極側収容凹部１８が形成されている。
【００３８】
空気極側収容凹部１８は、セル部４の空気極の測定領域の分割数に対応した数の凹部からなる。例えばセル部４の燃料極と空気極の測定領域を対面して４分割する場合には、図３に示すように、空気極側収容凹部１８がＡ，Ｂ，Ｃ，Ｄの領域からなる矩形状の４つの凹部からなる。
【００３９】
図３に示すように、空気極側収容凹部１８の各凹部の中央には、後述する空気極側測定用電極板２１Ｂの取付導体２１ｂが挿通される円形の挿通孔１９が形成される。また、空気極側収容凹部１８の各凹部の外側寄り（図３のＡ，Ｂの領域の左側寄り、Ｃ，Ｄの領域の右側寄り）には、空気ガスが通過する矩形状のガス通過孔２０が形成される。
【００４０】
具体的に、図３の例では、空気極側収容凹部１８のＡ，Ｂの領域に形成されるガス通過孔２０は、空気ガス導入管１６に連通して空気ガスを導入するガス導入孔として機能する。また、空気極側収容凹部１８のＣ，Ｄの領域に形成されるガス通過孔２０は、空気ガス排出管１７に連通して空気ガスを排出するガス排出孔として機能する。
【００４１】
なお、空気極側筐体３は、後述する空気極側測定用電極板２１Ｂや空気極側第２シール部材３２Ｂｂが収容でき、且つセル部４の空気極で十分に発電可能な程度の空気ガスを充満できる空気極側収容凹部１８が形成できる程度の厚さや大きさであればよい。
【００４２】
測定用電極板２１は、例えばステンレス鋼：ＳＵＳ、インコネル（登録商標）などの耐熱性、導電性、耐腐食性を有する金属で構成される。
【００４３】
測定用電極板２１は、セル部４の分割された測定領域ごとに対面して着脱可能に選択的に設けられる矩形平板状の一対の電極板を備え、一対の電極板の中央に後述する電線２２（電圧線２２ａ、電流線２２ｂ）を接続するための筒状の取付導体２１ａが一体に設けられたものであり、燃料極側測定用電極板２１Ａと空気極側測定用電極板２１Ｂとからなる。
【００４４】
燃料極側測定用電極板２１Ａは、セル部４の測定領域に対面して後述する燃料極側第２シール部材３２Ｂａを介して燃料極側収容凹部１３に選択的に収容される。また、空気極側測定用電極板２１Ｂは、セル部４の測定領域に対面して後述する空気極側第２シール部材３２Ｂｂを介して空気極側収容凹部１８に選択的に収容される。
【００４５】
なお、燃料極側測定用電極板２１Ａと空気極側測定用電極板２１Ｂは、開口の形状によってガスの流れの異なる流路が表面に形成されたものであってもよい。この場合、例えば図５に示すように、所定間隔おきに形成される複数の直線状の溝２３によって流路を形成するもの、上下または左右に蛇行した１本の溝によって流路を形成するものなど、異なる流路が形成された複数種類の燃料極側測定用電極板２１Ａと空気極側測定用電極板２１Ｂを用意しておくのが好ましい。
【００４６】
燃料極側測定用電極板２１Ａと空気極側測定用電極板２１Ｂは、図６に示すように、燃料極側筐体２を上方、空気極側筐体３を下方とした場合、燃料極側筐体２と空気極側筐体３それぞれの挿通孔１４，１９に挿通される筒状の取付導体２１ａの先端部にネジ止めされた電線２２（電圧線２２ａ、電流線２２ｂ）を介して外部に引き出され、電線２２が後述する測定装置４４に適宜配線接続される。
【００４７】
挟持部品５は、図１に示すように、評価対象となるセル部４の他、一対の集電体３１、第１シール部材３２Ａを含んで構成される。
【００４８】
セル部４は、例えばＹＳＺ／Ｎｉサーメットなどの燃料極と、例えば（Ｌａ，Ｓｒ）ＭｎＯ3 などの空気極との間に、例えばＹＳＺ（イットリア安定化ジルコニア）やＳｃＳＺ（スカンジア安定化ジルコニア）などの電解質を一体化して矩形板状の単セルとして構成される。
【００４９】
一対の集電体３１は、高温で酸化しにくい貴金属である例えば金（Ａｕ）や白金（Ｐｔ）製の網などで構成される燃料極側集電体３１Ａと空気極側集電体３１Ｂとからなる。一対の集電体３１は、図１に示すように、燃料極側筐体２を上方、空気極側筐体３を下方とした場合、燃料極側集電体３１Ａがセル部４の燃料極の上方に設けられ、空気極側集電体３１Ｂがセル部４の空気極の下方に設けられる。
【００５０】
なお、本実施の形態では、複数の電極板２１Ａ（２１Ｂ）に１枚の集電体３１Ａ（３１Ｂ）を用いる構成としたが、電極板２１ごとに異なる集電体３１を設ける構成として、電極板ごとに測定条件を変えることもできる。
【００５１】
第１シール部材３２Ａは、ガス漏洩防止用として、弾力性を有するセラミックス（例えば、バーミキュライト、マイカ、アルミナファイバー等）からなるガスケットで構成される。
【００５２】
第１シール部材３２Ａは、矩形枠状に形成され、燃料極側第１シール部材３２Ａａと空気極側第１シール部材３２Ａｂからなる。図２に示すように、第１シール部材３２Ａａは燃料極側集電体３１Ａを取り囲むように設けられ、空気極側第１シール部材３２Ａｂは空気極側集電体３１Ｂを取り囲むように設けられる。
【００５３】
第２シール部材３２Ｂは、第１シール部材３２Ａと同様に、ガス漏洩防止用として、弾力性を有するセラミックス（例えば、バーミキュライト、マイカ、アルミナファイバー等）からなるガスケットで構成され、燃料極側第２シール部材３２Ｂａと空気極側第２シール部材３２Ｂｂからなる。第２シール部材３２Ｂは、例えばセル部４の燃料極と空気極の測定領域が４分割される場合、図４に示すように、燃料極側第２シール部材３２Ｂａが燃料極側収容凹部１３に収容され、空気極側第２シール部材３２Ｂｂが空気極側収容凹部１８に収容される。
【００５４】
燃料極側収容凹部１３に収容される燃料極側第２シール部材３２Ｂａの中央には、図４に示すように、燃料極側測定用電極板２１Ａの取付導体２１ａが挿通される円形の挿通孔３３が形成される。
【００５５】
また、燃料極側第２シール部材３２Ｂａには、燃料極側収容凹部１３のガス通過孔１５に対応する位置に燃料ガスを通過させる矩形状のガス通過孔３４が形成される。具体的に、図４の例では、燃料極側収容凹部１３のＡ，Ｂの領域に設けられる燃料極側第２シール部材３２Ｂａのガス通過孔３４は、燃料ガス導入管１１に連通して燃料ガスを導入するガス導入孔として機能する。また、燃料極側収容凹部１３のＣ，Ｄの領域に設けられる燃料極側第２シール部材３２Ｂａのガス通過孔３４は、燃料ガス排出管１２に連通して燃料ガスを排出するガス排出孔として機能する。
【００５６】
そして、これらガス通過孔３４は、燃料ガスの導入側である燃料ガス導入管１１および燃料ガスの排出側である燃料ガス排出管１２に近い方の面積が小さく形成される。具体的に、図４の例では、Ｂの領域よりもＡの領域のガス通過孔３４の方が面積が小さく形成され、Ｃの領域よりもＤの領域のガス通過孔３４の方が面積が小さく形成される。すなわち、ガス通過孔３４は、燃料ガスの導入側および排出側に近いほど面積が小さく形成される。
【００５７】
また、空気極側収容凹部１８に収容される空気極側第２シール部材３２Ｂｂの中央には、図４に示すように、空気極側測定用電極板２１Ｂの取付導体２１ｂが挿通される円形の挿通孔３５が形成される。
【００５８】
また、空気極側第２シール部材３２Ｂｂには、空気極側収容凹部１８のガス通過孔２０に対応する位置に空気ガスを通過させる矩形状のガス通過孔３６が形成される。具体的に、図４の例では、空気極側収容凹部１８のＡ，Ｂの領域に設けられる空気極側第２シール部材３２Ｂｂのガス通過孔３６は、空気ガス導入管１６に連通して空気ガスを導入するガス導入孔として機能する。また、空気極側収容凹部１８のＣ，Ｄの領域に設けられる空気極側第２シール部材３２Ｂｂのガス通過孔３６は、空気ガス排出管１７に連通して空気ガスを排出するガス排出孔として機能する。
【００５９】
そして、これらガス通過孔３６は、空気ガスの導入側である空気ガス導入管１６および空気ガスの排出側である空気ガス排出管１７に近い方の面積が小さく形成される。具体的に、図４の例では、Ｂの領域よりもＡの領域のガス通過孔３６の方が面積が小さく形成され、Ｃの領域よりもＤの領域のガス通過孔３６の方が面積が小さく形成される。すなわち、ガス通過孔３６は、空気ガスの導入側および排出側に近いほど面積が小さく形成される。
【００６０】
なお、本実施の形態では、ガス導入管１１，１６、ガス排出管１２，１７に近い方のガス通過孔３４，３６の面積を小さくする構成にしているが、ガス通過孔３４，３６を同じ面積にする構成や、逆にガス排出管１２，１７に近い方のガス通過孔３４，３６の面積を大きくする構成にすることも可能である。
【００６１】
上記のように構成される挟持部品５は、燃料極側筐体２を上方、空気極側筐体３を下方として配置した場合、空気極側第２シール部材３２Ｂｂ、空気極側測定用電極板２１Ｂ、空気極側第１シール部材３２Ａｂ、空気極側集電体３１Ｂ、セル部４、燃料極側集電体３１Ａ、燃料極側第１シール部材３２Ａａ、燃料極側測定用電極板２１Ａ、燃料極側第２シール部材３２Ｂａの順に積層した状態で挟持され、例えばセラミックバネが介挿されたアルミナ製のネジ（固定部材６）により複数箇所（例えば図３〜図５の８箇所）で締結固定される。
【００６２】
次に、図６を参照しながらセル評価システム４１の構成について説明する。図６に示すように、セル評価システム４１は、評価用ホルダ１に装着された挟持部品５のセル部４の発電時の評価試験を行うものであり、電気炉４２、制御装置４３、測定装置４４を含む構成である。
【００６３】
電気炉４２は、制御装置４３にて一定温度（例えば７００〜１０００℃であり、セル部４の作動温度：８００℃前後）に制御される測定空間が形成されるように、不図示の断熱材の外側を矩形形状の金属製のケースで覆った構成である。
【００６４】
電気炉４２の測定空間内には、セル部４を装着した評価用ホルダ１が設置される。また、測定空間に面する不図示の断熱材の内壁周面には、測定空間内を一定高温に保持するように制御装置４３にて加熱制御されるヒータ４５が設置される。さらに、電気炉４２には、炉内温度（測定空間内の温度）を検出する温度センサ４６が設置される。
【００６５】
制御装置４３は、評価用ホルダ１に装着されたセル部４に供給される燃料ガスおよび空気ガスを設定流量に制御するとともに、電気炉４２の炉内温度が目標温度に到達するように温度センサ４６の検出温度に基づいてヒータ４５を制御する。
【００６６】
測定装置４４は、例えばポテンショスタット、周波数応答解析器（ＦＲＡ）などを含む各種周知の測定器で構成される。測定装置４４は、制御装置４３にて燃料ガスおよび空気ガスが設定流量に制御されるとともに電気炉４２の炉内温度が目標温度に制御されると、セル部４の測定領域に対応する一対の測定用電極板２１（２１Ａ，２１Ｂ）間に印加される電圧を所定ステップで可変し、その際の応答電流からセル部４の各測定領域の電流−電圧特性を測定する。また、測定装置４４は、セル部４の各測定領域に対応する一対の測定用電極板２１（２１Ａ，２１Ｂ）間に印加される電圧（交流信号）の周波数を可変し、その際の応答周波数から時間遅れを求める交流インピーダンス法（ＥＩＳ）によりセル部４の各測定領域のインピーダンス特性を測定する。
【００６７】
次に、上述したセル評価システム４１によるセル部４の測定方法について説明する。ここでは、セル部４の燃料極と空気極の測定領域（図３〜図５のＡ，Ｂ，Ｃ，Ｄの領域に対応）を４分割し、各測定領域を同一の測定条件で測定する場合を例にとって説明する。
【００６８】
まず、セル部４が装着された評価用ホルダ１を電気炉４２の測定空間に設置し、燃料ガスと空気ガスの設定流量、電気炉４２の測定空間の目標温度、初期電圧を設定する。
【００６９】
そして、制御装置４３は、上記設定を終えて測定を開始すると、電気炉４２の測定空間が目標温度まで昇温するように、温度センサ４６の検出温度に基づいてヒータ４５を制御する。
【００７０】
そして、測定装置４４は、セル部４の４つの測定領域に対応する一対の測定用電極板２１（２１Ａ，２１Ｂ）から引き出される電圧線２２ａそれぞれに印加される電圧を初期電圧から所定ステップで可変する。例えば初期電圧１．１Ｖから０．４Ｖまで０．１Ｖステップで電圧を可変する。測定装置４４は、この所定ステップで電圧を可変したときの応答電流からセル部４の測定領域ごとの電流−電圧特性を測定する。また、測定装置４４は、セル部４の各測定領域に対応する一対の測定用電極板２１（２１Ａ，２１Ｂ）間に印加される電圧（交流信号）の周波数を可変し、その際の応答周波数から時間遅れを求める交流インピーダンス法（ＥＩＳ）によりセル部４の測定領域ごとのインピーダンス特性を測定する。
【００７１】
そして、セル部４に供給される燃料ガスと空気ガスの設定流量や電気炉４２の測定空間の目標温度を適宜変更して上述した測定を行う。
【００７２】
また、流路の異なる測定用電極板２１（２１Ａ，２１Ｂ）やガス通過孔３４，３６の異なる第２シール部材３２Ｂ（３２Ｂａ，３２Ｂｂ）が複数種類用意されている場合には、これら測定用電極板２１（２１Ａ，２１Ｂ）や第２シール部材３２Ｂ（３２Ｂａ，３２Ｂｂ）を適宜組み合わせて交換し、上述した測定を行う。
【００７３】
ところで、上述した測定方法では、セル部４の４つの測定領域全てを同一の測定条件（燃料ガスと空気ガスの設定流量、初期電圧、電圧の可変量）で測定を行っているが、セル部４の測定領域ごとに測定条件を変えたり、セル部４の燃料極側と空気極側の測定条件を変えたりして測定領域ごとの測定を行うこともできる。
【００７４】
また、例えば図３〜図５のＡ，Ｂ，Ｃ，Ｄの領域に対応するセル部４の４つの測定領域のうち、１つの測定領域に対応するＢの領域のみの電流−電圧特性およびインピーダンス特性を測定する場合には、Ａ，Ｃ，Ｄの領域に対応する燃料極側収容凹部１３および空気極側収容凹部１８に不図示の拡散板を収容するのが好ましい。この場合、拡散板には、燃料極側電極板２１Ａや空気極側電極板２１Ｂと同様の流路が形成される。
【００７５】
このように、本実施の形態によれば、セル部４の燃料極の測定領域の分割数に対応する凹部を有する燃料極側収容凹部１３を燃料極側筐体２に形成し、セル部４の分割された燃料極の測定領域と対をなして分割される空気極の測定領域に対応する凹部を有する空気極側収容凹部１８を空気極側筐体３に形成し、セル部４の分割された燃料極および空気極の測定領域に対面して一対の測定用電極板２１（２１Ａ，２１Ｂ）を設け、この一対の測定用電極板２１Ａ，２１Ｂに電線２２（電圧線２２ａ、電流線２２ｂ）が接続される。また、一対の測定用電極板２１Ａ，２１Ｂは、セル部４の分割された一対の燃料極と空気極の測定領域に対面して選択的に着脱可能としている。これにより、セル部４の局所的な測定を含むセル部４の測定領域ごとの測定（電流−電圧特性、インピーダンス特性、セル部の各電極への集電体の押し付けなどの測定）が可能になる。
【００７６】
具体的には、セル部４の所望とする測定領域のみに電圧を印加してセル部４の局所的な発電状態の分布を測定することができる。また、電気化学インピーダンス分光法（ＥＩＳ）によりセル部４の所望とする測定領域に印加される電圧（交流信号）の周波数を可変してインピーダンス特性を測定することができる。さらに、測定したインピーダンス特性からセル部４の各電極への集電体の押し付けを測定することができる。そして、これらの測定結果からセル部の運転条件に課題があるか否かを確認し、より優れた単セルやスタックセルを含むシステム設計が可能となる。
【００７７】
また、一対の測定用電極板２１Ａ，２１Ｂにガスを拡散する流路を形成すれば、拡散板の機能も兼用することができる。
【００７８】
さらに、セル部４の分割された測定領域に対面して収容凹部１３，１８に収容可能な第２シール部材３２Ｂ（３２Ｂａ，３２Ｂｂ）を設け、燃料ガスおよび空気ガスの導入側および排出側に近いほど面積の小さいガス通過孔３４，３６を形成すれば、セル部４の分割された各測定領域に対して、より均等なガスの供給／排出を行うことが可能になる。
【００７９】
以上、本発明に係る電気化学セル評価用ホルダ及びセル評価システムの最良の形態について説明したが、この形態による記述及び図面により本発明が限定されることはない。すなわち、この形態に基づいて当業者等によりなされる他の形態、実施例及び運用技術などはすべて本発明の範疇に含まれることは勿論である。
【符号の説明】
【００８０】
１  電気化学セル評価用ホルダ
２  燃料極側筐体
３  空気極側筐体
４  セル部
５  挟持部品
６  固定部材
１１  燃料ガス導入管
１２  燃料ガス排出管
１３  燃料極側収容凹部
１４，１９  挿通孔
１５，２０  ガス通過孔
１６  空気ガス導入管
１７  空気ガス排出管
１８  空気極側収容凹部
２１（２１Ａ，２１Ｂ）  測定用電極板
２１ａ，２１ｂ  取付導体
２２  電線
２２ａ  電圧線
２２ｂ  電流線
２３  溝
３１（３１Ａ，３１Ｂ）  集電体
３２Ａ（３２Ａａ，３２Ａｂ）  第１シール部材
３２Ｂ（３２Ｂａ，３２Ｂｂ）  第２シール部材
３３，３５  挿通孔
３４，３６  ガス通過孔
４１  セル評価システム
４２  電気炉
４３  制御装置
４４  測定装置
４５  ヒータ
４６  温度センサ
【図１】
2020191206.tif 000003
【図２】
2020191206.tif 000004
【図３】
2020191206.tif 000005
【図４】
2020191206.tif 000006
【図５】
2020191206.tif 000007
【図６】
2020191206.tif 000008